(57)【要約】【課題】薬局の売買を斡旋する斡旋業で、本格的な査定を引き受ける前に、簡易査定をできるだけ正確に迅速に自動的に行う。【解決手段】インターネット９上において、薬局を売りたい者が操作するユーザコンピュータ１１の求めに応じて、サーバコンピュータ１５が入力画面を送信し、この入力画面によって入力された処方箋の［枚数］、月間の［売上］、月間に使用した［月薬額］、店舗の［家賃］、機器などの［リース］、店舗の［不動産］価値、在庫の［残薬額］のデータを受信し、このうち［枚数］により［薬剤師費］と［事務員費］を算出して、月間の諸経費を算出し、この諸経費と［売上］とから算出した月間の利益額のＮ倍を薬局の営業権の金額として算出し、この営業権の金額に［不動産］と［残薬額］を加えて薬局の資産とされる額を中心とした所定の範囲の金額を、ユーザコンピュータ１１へ送信し提示させる。【選択図】図１
2004139247.tif 000002
【特許請求の範囲】
【請求項１】
複数のクライアントコンピュータがホストコンピュータを介してコンピュータネットワークを形成し、このホストコンピュータ同士を回線により常時接続して構築されるインターネット上において、
薬局を売りたい者が操作するクライアントコンピュータであるユーザコンピュータの求めに応じて、ホストコンピュータとしてのサーバコンピュータが、入力画面をこのユーザコンピュータに送信する送信手段と、この入力画面によってこのユーザコンピュータにより入力された次の入力データをこのサーバコンピュータが受信する受信手段と、
［枚数］　　：平均して月間に処方箋を受付けた枚数
［売上］　　：平均した月間の売上高
［月薬額］　：平均して月間に使用した薬剤額及び販売高
［家賃］　　：薬局の店舗の家賃として払う月額
［リース］　：薬局で使用する機器などのリース月額
［不動産］　：不動産の価値として残存することを保証する金額（不
動産残存保証金額）
［残薬額］　：現在、在庫がある薬剤の金額
サーバコンピュータは受信した［枚数］により次の準備データを算出し、
［薬剤師費］：必要な薬剤師数に応じた人件費
［事務員費］：必要な事務員数に応じた人件費
これら［月薬額］［家賃］［リース］［薬剤師費］［事務員費］を用いて月間にかかるであろう諸経費を算出し、この諸経費と［売上］とから月間の利益額を算出し、この利益額のＮ倍を薬局の営業権の金額として算出し、この営業権の金額に［不動産］と［残薬額］を加えて薬局の資産として売買されるべき額とし、この資産として売買されるべき額を中心とした所定の範囲の金額を提示される査定金額として算出する算出手段と、この査定金額をユーザコンピュータへ送信し提示させる送信手段と、を有することを特徴とする薬局売買クイック査定システム。
【請求項２】
複数のクライアントコンピュータがホストコンピュータを介してコンピュータネットワークを形成し、このホストコンピュータ同士を回線により常時接続して構築されるインターネット上において、
薬局を売りたい者が操作するクライアントコンピュータであるユーザコンピュータの求めに応じて、ホストコンピュータとしてのサーバコンピュータが入力画面をこのユーザコンピュータに送信する送信ステップと、この入力画面によってこのユーザコンピュータにより入力された次の入力データをこのサーバコンピュータが受信する受信ステップと、
［枚数］　　：平均して月間に処方箋を受付けた枚数
［売上］　　：平均した月間の売上高
［月薬額］　：平均して月間に使用した薬剤額及び販売高
［家賃］　　：薬局の店舗の家賃として払う月額
［リース］　：薬局で使用する機器などのリース月額
［不動産］　：不動産の価値として残存することを保証する金額（不動産残存保証金額）
［残薬額］　：現在、在庫がある薬剤の金額
サーバコンピュータは受信した［枚数］により次の準備データを算出し、
［薬剤師費］：必要な薬剤師数に応じた人件費
［事務員費］：必要な事務員数に応じた人件費
これら［月薬額］［家賃］［リース］［薬剤師費］［事務員費］を用いて月間にかかるであろう諸経費を算出し、この諸経費と［売上］とから月間の利益額を算出し、この利益額のＮ倍を薬局の営業権の金額として算出し、この営業権の金額に［不動産］と［残薬額］を加えて薬局の資産として売買されるべき額とし、この資産として売買されるべき額を中心とした所定の範囲の金額を提示される査定金額として算出する算出ステップと、この査定金額をユーザコンピュータへ送信し提示させる提示ステップと、を有することを特徴とする薬局売買クイック査定方法。
【請求項３】
複数のクライアントコンピュータがホストコンピュータを介してコンピュータネットワークを形成し、このホストコンピュータ同士を回線により常時接続して構築されるインターネット上において、
薬局を売りたい者が操作するクライアントコンピュータであるユーザコンピュータの求めに応じて、ホストコンピュータとしてのサーバコンピュータが入力画面をこのユーザコンピュータに送信する送信ステップと、この入力画面によってこのユーザコンピュータにより入力された次の入力データをこのサーバコンピュータが受信する受信ステップと、
［枚数］　　：平均して月間に処方箋を受付けた枚数
［売上］　　：平均した月間の売上高
［月薬額］　：平均して月間に使用した薬剤額及び販売高
［家賃］　　：薬局の店舗の家賃として払う月額
［リース］　：薬局で使用する機器などのリース月額
［不動産］　：不動産の価値として残存することを保証する金額（不動産残存保証金額）
［残薬額］　：現在、在庫がある薬剤の金額
サーバコンピュータは受信した［枚数］により次の準備データを算出し、
［薬剤師費］：必要な薬剤師数に応じた人件費
［事務員費］：必要な事務員数に応じた人件費
これら［月薬額］［家賃］［リース］［薬剤師費］［事務員費］を用いて月間にかかるであろう諸経費を算出し、この諸経費と［売上］とから月間の利益額を算出し、この利益額のＮ倍を薬局の営業権の金額として算出し、この営業権の金額に［不動産］と［残薬額］を加えて薬局の資産として売買されるべき額とし、この資産として売買されるべき額を中心とした所定の範囲の金額を提示される査定金額として算出する算出ステップと、この査定金額をユーザコンピュータへ送信し提示させる提示ステップと、を前記サーバコンピュータに実行させることを特徴とする薬局売買クイック査定プログラム記録媒体。
【請求項４】
複数のクライアントコンピュータがホストコンピュータを介してコンピュータネットワークを形成し、このホストコンピュータ同士を回線により常時接続して構築されるインターネット上において、
薬局を売りたい者が操作するクライアントコンピュータであるユーザコンピュータの求めに応じて、ホストコンピュータとしてのサーバコンピュータが入力画面をこのユーザコンピュータに送信する送信ステップと、この入力画面によってこのユーザコンピュータにより入力された次の入力データをこのサーバコンピュータが受信する受信ステップと、
［枚数］　　：平均して月間に処方箋を受付けた枚数
［売上］　　：平均した月間の売上高
［月薬額］　：平均して月間に使用した薬剤額及び販売高
［家賃］　　：薬局の店舗の家賃として払う月額
［リース］　：薬局で使用する機器などのリース月額
［不動産］　：不動産の価値として残存することを保証する金額（不動産残存保証金額）
［残薬額］　：現在、在庫がある薬剤の金額
サーバコンピュータは受信した［枚数］により次の準備データを算出し、
［薬剤師費］：必要な薬剤師数に応じた人件費
［事務員費］：必要な事務員数に応じた人件費
これら［月薬額］［家賃］［リース］［薬剤師費］［事務員費］を用いて月間にかかるであろう諸経費を算出し、この諸経費と［売上］とから月間の利益額を算出し、この利益額のＮ倍を薬局の営業権の金額として算出し、この営業権の金額に［不動産］と［残薬額］を加えて薬局の資産として売買されるべき額とし、この資産として売買されるべき額を中心とした所定の範囲の金額を提示される査定金額として算出する算出ステップと、この査定金額をユーザコンピュータへ送信し提示させる提示ステップと、を前記サーバコンピュータに実行させることを特徴とする薬局売買クイック査定プログラム。
【発明の詳細な説明】
【０００１】
【発明の属する技術分野】
この発明は、薬局を売買するための金額を簡易に査定するシステム、査定方法、査定プログラム記録媒体、および査定プログラムに関する。
【０００２】
【従来の技術】
医薬分業の制度により全国に多数の薬局が存在し、開業、廃業が盛んに行われ、薬局の売買を斡旋する斡旋業が必要とされるようになってきた。この斡旋業において、最大のポイントは、売買の適切な金額を査定することである。この金額査定のためには、その薬局の店舗の不動産価値や在庫の薬剤の価値という動産価値のみならず、営業を続けることによりどの程度の利益を上げうるかという目に見えない営業権の金額を算出しなければならない。
【０００３】
このような査定には、従来、大変な時間、労力がかかるものであった。したがって、一度査定を引き受けて算出した査定額が、売買の依頼人との間で折り合いがつかない場合には、時間、労力の無駄になってしまうというリスクを生じるものであった。
【０００４】
このリスクを回避するためには、長年の経験を積んだ斡旋業者の勘により、査定を引き受けるか否かを決めなければならなかった。
【０００５】
【発明が解決しようとする課題】
しかしながら、斡旋業者の勘も正確なものではなく、やはり査定を引き受けたものの、売買の依頼人との間で折り合いがつかず、時間、労力の無駄になってしまったり、最終的には売買の依頼人との間で折り合いが可能であったにもかかわらず査定を断ってしまうことがあった。
【０００６】
この発明は、以上の課題を解決するためになされたもので、本格的な査定を引き受ける前に、簡易査定をできるだけ正確に迅速に自動的に行い、この簡易査定による査定金額で折り合いがついたときは本格的な査定にはいることとする薬局売買クイック査定システムおよび査定方法を提供することを目的とする。
【０００７】
【課題を解決するための手段】
以上の課題を解決するために、第一の発明は、複数のクライアントコンピュータがホストコンピュータを介してコンピュータネットワークを形成し、このホストコンピュータ同士を回線により常時接続して構築されるインターネット上において、
【０００８】
薬局を売りたい者が操作するクライアントコンピュータであるユーザコンピュータの求めに応じて、ホストコンピュータとしてのサーバコンピュータが、入力画面をこのユーザコンピュータに送信する送信手段と、この入力画面によってこのユーザコンピュータにより入力された次の入力データをこのサーバコンピュータが受信する受信手段と、
［枚数］　　：平均して月間に処方箋を受付けた枚数
［売上］　　：平均した月間の売上高
［月薬額］　：平均して月間に使用した薬剤額及び販売高
［家賃］　　：薬局の店舗の家賃として払う月額
［リース］　：薬局で使用する機器などのリース月額
［不動産］　：不動産の価値として残存することを保証する金額（不　動産残存保証金額）
［残薬額］　：現在、在庫がある薬剤の金額
【０００９】
サーバコンピュータは受信した［枚数］により次の準備データを算出し、
［薬剤師費］：必要な薬剤師数に応じた人件費
［事務員費］：必要な事務員数に応じた人件費
【００１０】
これら［月薬額］［家賃］［リース］［薬剤師費］［事務員費］を用いて月間にかかるであろう諸経費を算出し、この諸経費と［売上］とから月間の利益額を算出し、この利益額のＮ倍を薬局の営業権の金額として算出し、この営業権の金額に［不動産］と［残薬額］を加えて薬局の資産として売買されるべき額とし、この資産として売買されるべき額を中心とした所定の範囲の金額を提示される査定金額として算出する算出手段と、この査定金額をユーザコンピュータへ送信し提示させる送信手段と、を有することを特徴とする薬局売買クイック査定システムである。
【００１１】
第二の発明は、複数のクライアントコンピュータがホストコンピュータを介してコンピュータネットワークを形成し、このホストコンピュータ同士を回線により常時接続して構築されるインターネット上において、
【００１２】
薬局を売りたい者が操作するクライアントコンピュータであるユーザコンピュータの求めに応じて、ホストコンピュータとしてのサーバコンピュータが入力画面をこのユーザコンピュータに送信する送信ステップと、この入力画面によってこのユーザコンピュータにより入力された次の入力データをこのサーバコンピュータが受信する受信ステップと、
［枚数］　　：平均して月間に処方箋を受付けた枚数
［売上］　　：平均した月間の売上高
［月薬額］　：平均して月間に使用した薬剤額及び販売高
［家賃］　　：薬局の店舗の家賃として払う月額
［リース］　：薬局で使用する機器などのリース月額
［不動産］　：不動産の価値として残存することを保証する金額（不動産残存保証金額）
［残薬額］　：現在、在庫がある薬剤の金額
【００１３】
サーバコンピュータは受信した［枚数］により次の準備データを算出し、
［薬剤師費］：必要な薬剤師数に応じた人件費
［事務員費］：必要な事務員数に応じた人件費
【００１４】
これら［月薬額］［家賃］［リース］［薬剤師費］［事務員費］を用いて月間にかかるであろう諸経費を算出し、この諸経費と［売上］とから月間の利益額を算出し、この利益額のＮ倍を薬局の営業権の金額として算出し、この営業権の金額に［不動産］と［残薬額］を加えて薬局の資産として売買されるべき額とし、この資産として売買されるべき額を中心とした所定の範囲の金額を提示される査定金額として算出する算出ステップと、この査定金額をユーザコンピュータへ送信し提示させる提示ステップと、を有することを特徴とする薬局売買クイック査定方法である。
【００１５】
第三の発明は、複数のクライアントコンピュータがホストコンピュータを介してコンピュータネットワークを形成し、このホストコンピュータ同士を回線により常時接続して構築されるインターネット上において、
【００１６】
薬局を売りたい者が操作するクライアントコンピュータであるユーザコンピュータの求めに応じて、ホストコンピュータとしてのサーバコンピュータが入力画面をこのユーザコンピュータに送信する送信ステップと、この入力画面によってこのユーザコンピュータにより入力された次の入力データをこのサーバコンピュータが受信する受信ステップと、
［枚数］　　：平均して月間に処方箋を受付けた枚数
［売上］　　：平均した月間の売上高
［月薬額］　：平均して月間に使用した薬剤額及び販売高
［家賃］　　：薬局の店舗の家賃として払う月額
［リース］　：薬局で使用する機器などのリース月額
［不動産］　：不動産の価値として残存することを保証する金額（不動産残存保証金額）
［残薬額］　：現在、在庫がある薬剤の金額
【００１７】
サーバコンピュータは受信した［枚数］により次の準備データを算出し、
［薬剤師費］：必要な薬剤師数に応じた人件費
［事務員費］：必要な事務員数に応じた人件費
【００１８】
これら［月薬額］［家賃］［リース］［薬剤師費］［事務員費］を用いて月間にかかるであろう諸経費を算出し、この諸経費と［売上］とから月間の利益額を算出し、この利益額のＮ倍を薬局の営業権の金額として算出し、この営業権の金額に［不動産］と［残薬額］を加えて薬局の資産として売買されるべき額とし、この資産として売買されるべき額を中心とした所定の範囲の金額を提示される査定金額として算出する算出ステップと、この査定金額をユーザコンピュータへ送信し提示させる提示ステップと、を前記サーバコンピュータに実行させることを特徴とする薬局売買クイック査定プログラム記録媒体である。
【００１９】
第四の発明は、複数のクライアントコンピュータがホストコンピュータを介してコンピュータネットワークを形成し、このホストコンピュータ同士を回線により常時接続して構築されるインターネット上において、
【００２０】
薬局を売りたい者が操作するクライアントコンピュータであるユーザコンピュータの求めに応じて、ホストコンピュータとしてのサーバコンピュータが入力画面をこのユーザコンピュータに送信する送信ステップと、この入力画面によってこのユーザコンピュータにより入力された次の入力データをこのサーバコンピュータが受信する受信ステップと、
［枚数］　　：平均して月間に処方箋を受付けた枚数
［売上］　　：平均した月間の売上高
［月薬額］　：平均して月間に使用した薬剤額及び販売高
［家賃］　　：薬局の店舗の家賃として払う月額
［リース］　：薬局で使用する機器などのリース月額
［不動産］　：不動産の価値として残存することを保証する金額（不動産残存保証金額）
［残薬額］　：現在、在庫がある薬剤の金額
【００２１】
サーバコンピュータは受信した［枚数］により次の準備データを算出し、
［薬剤師費］：必要な薬剤師数に応じた人件費
［事務員費］：必要な事務員数に応じた人件費
これら［月薬額］［家賃］［リース］［薬剤師費］［事務員費］を用いて月間にかかるであろう諸経費を算出し、この諸経費と［売上］とから月間の利益額を算出し、この利益額のＮ倍を薬局の営業権の金額として算出し、この営業権の金額に［不動産］と［残薬額］を加えて薬局の資産として売買されるべき額とし、この資産として売買されるべき額を中心とした所定の範囲の金額を提示される査定金額として算出する算出ステップと、この査定金額をユーザコンピュータへ送信し提示させる提示ステップと、を前記サーバコンピュータに実行させることを特徴とする薬局売買クイック査定プログラムである。
【００２２】
【発明の実施の形態】
この発明の実施の形態を、図１〜図４に示す。
この実施形態は、薬局の売買を斡旋する斡旋業者が、インターネット上の自己のホームページの入力画面において、薬局を売りたい者からその薬局についてのデータを入力してもらい、この入力データをもとに自動的に査定金額を算出し、提示するものである。
【００２３】
（インターネット）
ここでいうインターネットとは、複数のクライアントコンピュータ１がホストコンピュータ３を介してコンピュータネットワーク５を形成し、この複数のコンピュータネットワーク５をつなぐために、ホストコンピュータ３同士を回線７により常時接続して構築される、いわゆるザ・インターネット９のことである。通常のパソコンだけでなく、インターネットにアクセスできる携帯電話などの他の端末も、ここでいうクライアントコンピュータ１に含めるものとする。
【００２４】
このインターネット９において、薬局を売りたい者が操作するクライアントコンピュータ１を、ここではユーザコンピュータ１１と呼ぶものとする。斡旋業者が操作するクライアントコンピュータ１を、ここでは特定クライアントコンピュータ１３と呼ぶものとする。この特定クライアントコンピュータ１３が接続するホストコンピュータ３をサーバコンピュータ１５と呼ぶものとする。
【００２５】
特定クライアントコンピュータ１３には、この実施形態の薬局売買クイック査定方法を実施するためのプログラム記録媒体（図示せず）が格納され、接続されホームページデータが格納されるサーバコンピュータ１５には、この実施形態の薬局売買クイック査定方法を実施するためのプログラムがさらに格納され、よってインターネット９とともに薬局売買クイック査定システムが形成される。
【００２６】
（入力画面）
インターネットにアクセスしたユーザコンピュータ１１の求めに応じて、ホストコンピュータ３としてのサーバコンピュータ１５が、斡旋業者のホームページの一画面としての入力画面を、このユーザコンピュータ１１に送信する。
【００２７】
この入力画面には、図２に示すように、薬局に関する次のデータを入力する欄が設けられる。
１）所在地である都道府県市町村などのデータ。
２）過去３ヶ月に平均して月間に処方箋を受付けた枚数
３）過去３ヶ月に平均しての月間の営業日数
４）過去３ヶ月に平均して売り上げた調剤の売上額
５）過去３ヶ月に平均して使用した薬剤額及び販売高
６）過去３ヶ月に平均して薬局の店舗の家賃として支払った月額（共益費などを含む）
７）毎月定期的に支払う、薬局で使用する機器などのリース月額
８）不動産の価値として残存することを保証する金額（不動産残存保証金額、賃貸のときは０）
９）現在、在庫がある薬剤の金額（直近の理論在庫金額）
【００２８】
また、これらの入力が終わった後に、演算を実行させるためにクリックするクリックボタン「実行」１７が設けられ、演算により算出された査定金額の範囲が自動的に提示される欄１９、２１が設けられる。
【００２９】
（行程）
まず、薬局を売りたい者が操作するクライアントコンピュータ１であるユーザコンピュータ１１により、インターネット９へのアクセスが行われ、さらに、ホストコンピュータ３としてのサーバコンピュータ１５が提供するホームページにアクセスする（Ｓ１）。そして、ユーザコンピュータ１１の求めに応じて、サーバコンピュータ１５が斡旋業者のホームページの一画面としての入力画面を、このユーザコンピュータ１１に送信する（Ｓ２）。
【００３０】
薬局を売りたい者は、このユーザコンピュータ１１を操作して、この入力画面によって、次のデータを入力する（Ｓ３）（「」内の数字は例）。
［枚数］　　：平均して月間に処方箋を受付けた枚数「２０００枚」
［売上］　　：平均した月間の売上高「１０００万円」
［月薬額］　：平均して月間に使用した薬剤額及び販売高「６５０万円」
［家賃］　　：薬局の店舗の家賃として払う月額「０円」
［リース］　：薬局で使用する機器などのリース月額「３０万円」
［不動産］　：不動産の価値として残存することを保証する金額（不
動産残存保証金額）「０円」
［残薬額］　：現在、在庫がある薬剤の金額「６００万円」
【００３１】
そして、サーバコンピュータ１５は受信した（Ｓ４）以上のデータのうち［枚数］により次の準備データを算出する（Ｓ５）。
2004139247.tif 000003
この算出には図３のグラフを用いる。このグラフは、経験により得られたものである。
【００３２】
［流動経費］：［薬剤師費］と［事務員費］の人件費や［家賃］［リース］の固定費以外にかかる経費で、以下の経験式から求める。
2004139247.tif 000004
【００３３】
次に、これら［月薬額］［家賃］［リース］［薬剤師費］［事務員費］［流動経費］を用いて月間にかかるであろう諸経費を算出する（Ｓ６）。
2004139247.tif 000005
【００３４】
そして、この諸経費と［売上］とから月間の利益額を算出する（Ｓ７）。
2004139247.tif 000006
この利益額のＮ倍（この実施形態では１５ヶ月分）を薬局の営業権の金額として算出する（Ｓ８）。
2004139247.tif 000007
【００３５】
次に、この営業権の金額に［不動産］と［残薬額］を加えて薬局の資産として売買されるべき額とする（Ｓ９）。
2004139247.tif 000008
【００３６】
そして、この資産として売買されるべき額を中心とした所定の範囲（この実施形態では７０％〜３０％とする）の金額を提示される査定金額として算出する（Ｓ１０）。
2004139247.tif 000009
この査定金額をユーザコンピュータ１１へ送信し、画面へ提示させる（Ｓ１１）。
【００３７】
なお、入力されたデータのうち、所在地である都道府県市町村などのデータや月間の営業日数のデータは、図３のグラフの傾度、［流動経費］の式における定数（１０万円や３％）、利益額のＮ倍とする（この実施形態ではＮ＝１５）Ｎの値、資産として売買されるべき額を中心とした所定の範囲（この実施形態では７０％〜３０％とする）の％の数字を定める際に用いられる。
【００３８】
そして、薬局を売りたい者が、この査定金額に満足し、本格的な査定を望む場合には、ユーザコンピュータ１１を操作し、ホームページの別の申込の画面（図示せず）から本格的な査定の申込を行う。この申込は、サーバコンピュータ１５を介して特定クライアントコンピュータ１３に送信され、斡旋業者に知らされる。
（本格的な査定）
この本格的な査定に伴う書類のやり取りは、宅配便やメールで行う。
【００３９】
以上の簡易査定で採用されたデータは、薬局を売りたい者が入力した自由申告のデータであるので、本格的な査定では、これらのデータの確認を行わなければならない。また、個々の具体的な経営状態もあるので、諸経費、例えば流動経費の経験式による見積もりが適切か否か確認しなければならない。また、薬局の所在地や立地条件により適切な査定金額は細かく左右されるので、その確認も行わなければならない。
【００４０】
【発明の効果】
以上説明したように、第一、または第二の発明によれば、正確な査定のために重要な薬剤師と事務員の人件費を、過去の人件費に関係なく、処方箋を受付けた枚数をもとに算出するので、薬局で本来的に必要な人件費を正確に算出できる。また、インターネットを使用し、迅速に自動的に算出が行える。したがって、簡易査定をできるだけ正確に迅速に自動的に行い、この簡易査定による査定金額で折り合いがついたときは本格的な査定にはいることで、本格的な査定が無駄になったり不足したりすることを防止できる。
【図面の簡単な説明】
【図１】この発明の一実施形態を示す行程のフロー図である。
【図２】この発明の一実施形態に係る入力画面を示す図である。
【図３】処方箋の［枚数］により［薬剤師費］［事務員費］を算出するための経験的なグラフである。
【図４】この発明の一実施形態を示すインターネットの概念図である。
【符号の説明】
１　クライアントコンピュータ
３　ホストコンピュータ
５　コンピュータネットワーク
７　回線
９　インターネット（ザ・インターネット）
１１　ユーザコンピュータ
１３　特定クライアントコンピュータ
１５　サーバコンピュータ
１７　クリックボタン「実行」
１９、２１　査定金額の範囲が提示される欄
【図１】
2004139247.tif 000010
【図２】
2004139247.tif 000011
【図３】
2004139247.tif 000012
【図４】
2004139247.tif 000013